(57)【特許請求の範囲】
【請求項１】
互いの間に任意の角度をなす２個のワークをクランプするための基板を有するクランプ装置であって、該基板上に、各１個の支持面を有する２個の支持ジョーと、各１個の加圧面を有する２個の加圧片とが設けられ、前記２個の支持ジョーは、その支持面角度がワークの角度に応じて基板平面上で調節可能かつ固定可能に支持され、また前記２個の加圧片は、前記２個の支持ジョーの間にあって、基板平面に沿って摺動可能に設けられたスピンドルの先端に、該スピンドルの移動により移動自在に設けられ、かつワークの被加圧面に準じるように、基板平面と平行な平面に沿って回動自在にかつ固定可能に支持されていることを特徴とするクランプ装置。
【発明の詳細な説明】
【０００１】
【産業上の利用分野】
本発明は、ワークのなす角度に応じて、任意の角度を以って使用することのできるクランプ装置に関する。
【０００２】
【従来の技術】
特定の角度をなす２つのワークをクランプする為の公知のクランプ装置としては、例えば、ドイツ特許第３２４４０２２号から知ることができる。すなわち、２つの支持ジョーを持つ基板、その各々が支持ジョーの１つに設けられている２つの支持面、１つの加圧面を持つ加圧片及び基板に相対的に加圧片を摺動せしめる為の１つのスピンドルから成るクランプ装置であり、かつこの場合に少なくとも支持面又は加圧面は平坦な芯出し面の形態を持ち、それに接触するワークの角度を以って芯出しすることができる。
【０００３】
しかしながら、上記のような公知のクランプ装置は、特定の角度でのクランプを可能にするに過ぎず、従って、ワークの角度が異なる毎に夫々１つ宛クランプ装置を必要とする。
【０００４】
【発明が解決しょうとする課題】
従って、本発明の根底にある課題は、クランプする角度が異なったワークの場合にも、共通に使用し得るクランプ装置を提供することにある。
【０００５】
【課題を解決するための手段】
上記課題を解決するため、本発明は次のような構成とした。すなわち、本発明のクランプ装置は、互いの間に任意の角度をなす２個のワークをクランプするための基板を有するクランプ装置であって、該基板上に、各１個の支持面を有する２個の支持ジョーと、各１個の加圧面を有する２個の加圧片とが設けられ、前記２個の支持ジョーは、その支持面角度がワークの角度に応じて基板平面上で調節可能かつ固定可能に支持され、また前記２個の加圧片は、前記２個の支持ジョーの間にあって、基板平面に沿って摺動可能に設けられたスピンドルの先端に、該スピンドルの移動により移動自在に設けられ、かつワークの被加圧面に準じるように、基板平面と平行な平面に沿って回動自在にかつ固定可能に支持されていることを特徴としている。
【０００６】
本発明によるクランプ装置を用いることにより、２つのワークを種々の角度を以って支持面に接触させることにより、芯出しすると同時にクランプ装置の中でクランプすることが可能となる。
【０００７】
従って、種々のワークを唯一のクランプ装置を用い要求された角度で芯出しされた状態でクランプすることが可能となる。
【０００８】
最も簡単な場合には、本発明によるクランプ装置は、芯出し面を種々の角度に調節可能であり、しかもこれらの角度で固定できる如くデザインされることが可能である。しかし、芯出し面が角度αを変更する際に、ある回動面で互いに相対的に回動することが可能な実施例が特に有利であることが実証されている。芯出し面が回動することにより、それらを希望の角度αに相互調節することが容易となる。
【０００９】
本発明による解決法においては、ワークによって角度αを無段階に調節できるように芯出し面を調節可能とすれば、大きな融通性が得られることになる。角度αがほぼ４５度からほぼ２８０度の領域にある場合が特に有利であることが実証されている。
【００１０】
本発明においては、支持面、加圧面又は両者が共に芯出し面として作用することができる。クランプ装置を扱う上からは支持面が芯出し面である場合が有利であることが実証されている。
【００１１】
支持ジョーの支持方法に関しては、例えば支持ジョーが芯出し面を持ち、基板に夫々回動支持体により保持されており、かつこの支持体は各支持ジョーに角度αの尖端に向かい合った領域で作用している構造の実施例が考えられている。これにより、一方では鋭角のみならず鈍角での巾の狭いワークのクランプが可能であり、又他方ではワークをクランプする際にクランプ力をできる限り回動支持体の近くに作用させる手段が提供される。
【００１２】
基板に相対的な支持ジョーの固定に関しては、各種の方法が考えられる。例えば、回動支持体が固定できることが或る実施例では可能である。
【００１３】
力を受け止めることに関しては、支持ジョーが角度αで芯出し面を固定する為に、基板に回動支持体とは距離を隔てて設けられた固定エレメントにより固定されることができるようにするのが有利と考える。これによれば、各固定された支持ジョーは、２つの互いに間隔を隔てて設けられた位置、即ち一方では回動支持体を用いて、又他方では固定エレメントを用いて、夫々固定されているから、これらに伝えられたクランプ力が支持ジョーに望まざる変移を生ぜしめることはなくなる。特に固定エレメントは、回動支持体とは間隔を隔てて設けられている為に、支持ジョーに作用するモーメントを受け止める力が極めて大きい。
【００１４】
本発明によるクランプ装置に於ける特に有利な形状は、固定エレメントが角度αの尖端に対面する回動支持体の例で、支持ジョーに作用する場合に得られる。これにより、角度αの尖端に向かい合う領域が開放され、従って角度αの尖端の近くに於て両ワークに接近することが可能となる。
【００１５】
固定エレメントの種類については、例えば形状によりロック作用が働くようにデザインすることが考えられ、かつこの事は固定を容易にする長所をもたらすが同時に支持ジョーが単一角度にしか設定できないという短所を持つ。
【００１６】
この為に、特に固定エレメントによって各支持ジョーはあらゆる角度位置に固定されることのできることが望ましい。
【００１７】
この事は、特に力によりロック作用を及ぼす固定エレメントを用いることにより簡単に果たされる。
【００１８】
この場合に、特に望ましい実施形態は、固定エレメントが基板の保持部分に裏側から固定されるが、支持ジョーを固定した状態に於てこのセクションを基板に対して、特にその支持面に対して押し付けるのである。
【００１９】
スピンドルの支持に関しては、スピンドルナットを用いて基板に保持されることが好ましい。
【００２０】
加圧片を各種のワークに適合させる為に、上記のスピンドルナットはスピンドルが支持面に平行に回動可能なように基板に保持されることが望ましい。
【００２１】
加圧面の配置に関しては、例えば加圧面は互いに独立して自由に回動できることが好ましい。
【００２２】
この場合、加圧面が種々な角度αのワークに対して適切な角度位置（３６０−α）をとることができるのが好ましい。
【００２３】
このことは、２つの互いに独立して回動できる加圧面を持つ加圧片を備える場合に望ましい形で実現することができる。
【００２４】
この場合、２つの加圧片は互いに独立して相対的に回動できる形でスピンドルヘッド支持体に連結されている加圧片支持体を持つことが望ましい。
【００２５】
加圧片支持体とスピンドルヘッド支持体との接続は種々の方法のデザインが考えられる。加圧片支持体は少なくとも１つのヒンジによりスピンドルヘッド支持体と接続されているときに有利といえる。
【００２６】
クランプを容易にし、かつ加圧片が誤ってワークから外れることを防止する為にヒンジは動き難いデザインのものにすることが望ましい。
【００２７】
特に、クランプの際に加圧片が滑ることは、少なくとも加圧片支持体のヒンジが少なくともある回動位置で固定できるときに防止することができる。
【００２８】
加圧片支持体のヒンジがあらゆる回動位置に於て固定できるときにはさらに有利である。
【００２９】
限定されたクランプ目的に対しては、２つの加圧片が共通の軸心の回りにスピンドルヘッド支持体に相対的に回動することのできることで充分である。
【００３０】
しかし、各種のワークのクランプを可能にするためには、加圧片は加圧片支持体上の互いに隔てて設けられたヒンジによって、夫々独立して回動可能に支持されているときに更に有利である。特に２つのヒンジの間の間隔の示す方向は、基板平面に平行な方向である。
【００３１】
加圧片支持体は、この場合、スピンドルヘッド支持体と固定的に結合されることが可能であるが、加圧片支持体が基板面に直角に走行する回動軸の周りにスピンドルヘッド支持体に回動自在に支持されてることにより、クランプ目的に関してさらに大きな柔軟性が実現され得る。
【００３２】
特に加圧片支持体における２つの加圧片自体が同様に回動可能であるときには、ワークをクランプする場合に２つの加圧面がワークに沿って滑り、かつ加圧片が傾いた位置でワークのクランプが行われる可能性が存在する。
【００３３】
この理由から、加圧片支持体は任意の回動位置においてスピンドルヘッド支持体に相対的に固定できることが好ましい。加圧片支持体がこの様に固定し得る場合には、加圧面がワークの面で滑ることの危険性は、加圧片支持体を固定することにより防止可能であり、かつこの場合には、なお加圧片はヒンジが設けられていることによって加圧片支持体に相対的に回動することができる。
【００３４】
加圧片支持体が、各種の回動位置においてスピンドルヘッド支持体に固定することのできるときには、本発明による解決法はさらに柔軟性を増すことになる。このことは、例えばスピンドルヘッド支持体における加圧片支持体の固定を種々な回動位置に於てロック作用の働く方法で行うことによって可能となる。
【００３５】
加圧片支持体が任意の回動位置においてスピンドルヘッド支持体に固定できるときにはさらに有利となる。
【００３６】
このためには、ロック作用の生じるように作用する固定装置を用いることが望ましい。
【００３７】
加圧片支持体がスピンドルヘッド支持体に対して相対的に回動可能な場合には、その回動運動が困難である方が有利である。
【００３８】
加圧片自身のデザインに関しては、例えば加圧片がそのヒンジからワークの角度αの尖端の方向に延びる距離がそれとは逆の方向に延びる距離よりも短い場合に有利と考える。
【００３９】
この実施例は、特定の角度位置に於てワークをクランプする場合に、加圧片が倒れて外れることを防止できる長所を持つ。
【００４０】
本発明による解決法の別の特徴と長所は、下記のいくつかの実施例の記述及び図面から知ることができる。
【００４１】
【実施例】
その全体を図１として平面図で示されている本発明によるクランプ装置の１つの実施例には、基板１０が設けられ、かつその平面１２はクランプすべきワークを支持する役割を果たす。
【００４２】
基板１０には、２つの支持ジョー１４及び１６が基板平面１２に直角な回動軸１８又は２０の周りに、かつ基板平面１２に平行な平面内で回動し得る如く支持されており、かつこの場合に支持ジョー１４及び１６の各々は支持面２２又は２４を持ち、かつこの面は基板平面１２の上に直角に立ち、かつある角度をなすワーク２６又は２８の支持面として用いられる。
【００４３】
回動軸１８及び２０は、この場合基板平面１２の上に突き出ているステーボルト３０又は３２により限定され、かつこれらのボルトは支持ジョー１４又は１６の軸受アイ３８又は４０の穴３４又は３６に挿入されている。軸受アイ３８は、支持ジョー１４の基端側の領域で、特に支持ジョー１４又は１６の基端部４２又は４４の近くに設けられている。
【００４４】
支持ジョー１４又は１６は、軸受アイ３８又は４０から、支持ジョーの先端４６又は４８まで延びている。
【００４５】
支持ジョー１４及び１６は、従って回動軸１８の周りに基板１０の対称軸５０に相対的に２２．５度から７０度の範囲で回動することができ、かつ本発明によれば何れの任意の回動位置に於ても固定し得ることができる。支持ジョー１４又は１６の各々に於てその基端部４２又は４４と先端４６又は４８との間のほぼ中央に保持アイ５２又は５４が形成されており、かつ図２に示された如くその穴５６には固定スクリュー５８が通されており、かつこの固定スクリューのネジ部６０がスライドナット６２の中にネジ込まれている。固定スクリュー５８とスライドナット６２は、この場合にその全体を６４の記号で示されており、支持ジョー１４、１６の各々に対する固定エレメントを構成する。
【００４６】
スライドナット６２は、この場合に夫々が基板１０の中の円弧の形態を持つぬすみ６６又は６８の中を摺動し、かつ各ぬすみ６６又は６８の基板平面とは反対側の突起７０又は７２にその頭部７４に於て接している。
【００４７】
基板１０は、更に図２に示された如く側面辺縁７６を調節面７８に当てられており、よってスライドナット６２の頭７４が自由に動き得る如く支持されている。
【００４８】
固定スクリュー５８を締めることにより夫々の保持アイ５２又は５４はぬすみ６６又は６８の縁の基板面１２に対して加圧することが可能であり、従って摩擦力によって固定することができる。
【００４９】
支持面２２又は２４の角度位置の目安が容易に得られるように、ぬすみ６６又は６８の傍に、かつ基板１０の基板面１２に設けられた陥凹８０にスケール８２が設けられている。
【００５０】
基板１０の図１における上端部分には、スピンドル９２の為のスピンドルナット９０が、基板面１２に直角に立上がる軸９４の周りで回動可能に支持されている。この為に、スピンドルナット９０は両側にピン９６又は９８を備え、かつこの場合に下側のピン９６は基板１０の中の穴１００の中に陥入し、かつピン９８はスピンドルナット９０の両側で基板面１２から立上がり、かつスピンドルナットを両側面でその間に囲む突起１０６及び１０８上で保持されているカバープレート１０４の穴１０２の中に陥入している。
【００５１】
スピンドルナット９０からは、スピンドル９２がスピンドルヘッド支持体１１０にまで延び、かつこの支持体内ではスピンドルは、スピンドルヘッド１１２を以って陥入し、かつ例えばワッシヤー１１４によりその軸心１１６の方向には動き得ぬように保持されつつ回転し得る如く支持されている。
【００５２】
スピンドルヘッド支持体１１０は下方に突き出ているピン１１８と上方に突き出ているピン１２０を持ち、かつこの場合にピン１２０は更に上方に延びてネジ部分１２２に続く。
【００５３】
ピン１１８及び１２０には、その全体を１２４で示されている加圧片支持体が保持され、かつこの支持体は下側の加圧片支持プレート１２６及び上側の加圧片支持プレート１２８を備え、かつこの場合に下側のプレート１２６はピン１１８に於て又上側のプレート１２８はピン１２０に於て回ることのできる如く支持されており、かつこの場合にピン１１８及び１２０は同軸的に配置されている為に加圧片支持体１２４は基板面１２に直交する回動軸１３０の周りに回転することができる。
【００５４】
加圧片支持体１２４自体は、２つの加圧片１３２及び１３４を備え、かつこれらには加圧面１３６及び１３８が設けられている。加圧片１３２又は１３４の各々は、この場合に加圧片支持体１２４に於て揺動し得る如く支持されており、かつこの為に加圧片１３２又は１３４は夫々２つのスリット型のぬすみ１４０又は１４２を持ち、かつこの中には加圧片支持プレート１２６又は１２８が支持突起１４４又は１４６を以って嵌入し、かつヒンジ状の結合が夫々の加圧片１３２又は１３４の間に、かつ支持突起１４４又は１４６の中では夫々ボルト１４８又は１５０により形成され、かつこのボルトは加圧片１３２又は１３４を貫通する穴１５２又は１５４並びに加圧片支持プレート１２６又は１２８の支持体突起１４４又は１４６を貫通する穴１５６又は１５８を通って延び、かつ夫々の加圧片１３２又は１３４の中で成型されたヘッドにより保持されている。
【００５５】
ボルト１４８又は１５０により、２つの加圧片１３２又は１３４は互いに平行な軸心１６０又は１６２の周りに加圧片支持体１２４に相対的に回動することができ、更に加圧片支持体自体は同様に軸心１６０及び１６２に平行に走行し、かつ基板平面１２上に立上がる回動軸１３０の周りに回動することができる。
【００５６】
加圧片支持体１２４と加圧片１３２、１３４が一体となって加圧片を形成する。
【００５７】
２個のワーク２６又は２８を特定の角度を以ってクランプする場合に、加圧片支持体１２４がコントロールし得ぬ状態でスピンドルヘッド支持体１１０に相対的に、又加圧片１３２又は１３４がコントロールし得ぬ状態で加圧片支持体１２４に相対的に滑りを起こすことを防止する為に、本発明による解決法では加圧片支持体１２４のスピンドルヘッド支持体１１０に対する滑りの可能性を防止する為の手段を設けることが望ましい。この為に、ネジ部分１３２に固定スリーブを、それが締め付けられた状態では端面フランジ１６６を以って加圧片支持プレート１２８の上面１６８を加圧し、又他方では加圧片支持プレート１２８がその下面１７０を以ってスピンドルヘッド支持体１１０の上面を加圧し、従って上側の加圧片支持プレート１２８は端面側のフランジ１６６とスピンドルヘッド支持体１１０の上側１７２の間にクランプされ、従ってスピンドルヘッド支持体１１０との間の滑り動作を防止し得る如くネジ込むことができる。これにより、加圧片支持体１２４全体も又回動軸１３０の周りで廻ることを固定阻止されることができる。
【００５８】
固定スリーブ１６４の締め付けを簡単にする為にこのスリーブは端面側のフランジ１６６とは反対側の端にクランプハンドル１７４を設けることが望ましく、かつこのハンドルは固定スリーブ１６４の穴１７６に通される。
【００５９】
図６に示された本発明による解決法の一種では、補足的にあるいは代案としてスピンドルヘッド支持体１１０に相対的な滑りから加圧片支持体１２４を守る為に、加圧片１３２、１３４の加圧片支持体１２４に対する回動を止める手段が設けられている。
【００６０】
この為に、ボルト１４８及び１５０は１つの固定エレメント１８０により置替えられるが、このエレメントは１つの締め付けボルト１８２を持ち、かつこのボルトは平行部分１８４を以って下側の加圧片支持プレート１２６の穴１８６の中を通り、かつ他方ではヘッド１８８をもって廻ることを防止されているのみならず、夫々の加圧片１３２又は１３４の中で上側の加圧片支持プレート１２８の軸方向へ移動することをも防止されている。
【００６１】
平行部分１８４に続いて締め付けボルト１８２はネジ部１９０を持ち、かつこの部分にはネジスリーブ１９２がねじ込まれており、かつこのスリーブはその端面側１９４を以って下側の加圧片支持プレート１２６の上側１９６に接することが可能であり、従って下側の加圧片支持プレート１２６がその下面１９８を以ってスリット状のぬすみ１４０の底壁２００を押し付けることにより摩擦によるロック作用を利用して各加圧片１３２，１３４を下側の加圧片支持プレート１２６に固定することが可能となる。
【００６２】
スリーブ１９２は、上側の加圧片支持プレート１２８の穴２０２を通って延びており、上記の穴２０２は、スリーブの外側２０４を以って上側の加圧片支持プレート１２８および加圧片１３２又は１３４に対する別の回転支持体となり得る如く定められている。
【００６３】
更に、スリーブ１９２は上側の加圧片支持プレート１２８を取り囲む加圧片１３２又は１３４の穴２０６を通って延び、従ってその外面２０４を以って同様に各加圧片１３２又は１３４の為の上側の回動軸受を形成する。
【００６４】
スリーブ１９２には同様にハンドル２０８を設けることが望ましい。このハンドルは穴の中を通ってスリーブを貫通しているから、スリーブを簡単に締め付けることにより加圧片支持体１２４に各加圧片１３２又は１３４を簡単に締め付けることができる。
【００６５】
更に、ワーク２６又は２８の角度の先端側に接近することを可能にする為に、ステーボルト３０又は３２の間にある基板１０の一部を解放し、スピンドルナット９０の方向に延びるぬすみ２１０が設けられている。
【００６６】
スピンドルヘッド支持体１１０に相対的な加圧片支持体１２４の回転を止めることについての代案または補足案として、スピンドルヘッド支持体１１０に相対的な加圧片支持体１２４の回動運動を動き難くすることができる。この為には、スピンドルヘッド支持体１１０の陥凹２１２の中に加圧エレメント２１４が入れられ、かつこのエレメントは１つのボール２１６を持ち、かつこのボール自体は弾性エレメント２１８により上側の加圧片支持プレート１２８の下面１７０に押し付けられる。
【００６７】
同様にスピンドルヘッドの支持体に加圧エレメント２１６が入れられ、かつこのエレメントは同様に１つのボール２１８を下側の加圧片支持プレート１２６の上側１９６に押し付ける。
【００６８】
ボール２１６及び２１８と加圧片支持プレート１２８及び１２６との間の摩擦があり、スピンドルヘッド支持体に相対的な加圧片支持体１２４の運動は動き難くなっている。
【００６９】
同様に、加圧片支持体１２４に相対的な加圧片１３２及び１３４の回転運動を動き難くする為に加圧エレメント２１９又は２２０が用いられ、かつこれらのエレメントは同様に１つのボール２２２又は２２４を加圧片支持プレート１２８又は１２６の下側１７０又は上側１９６を押し付け、従って加圧片支持体１２４に相対的な加圧片１３２又は１３４の滑り易さを防止している。
【００７０】
本発明の構成は前記の通りであるが、本発明において、前記支持面２２、２４および加圧面１３６、１３８は角度を変える為に回動平面１２内で互いに回動することができることが好ましい。
【００７１】
ワーク２６、２８の間の角度は無段的に変え得ることが好ましい。
【００７２】
支持面２２、２４が芯出し面を形成することが好ましい。
【００７３】
支持ジョー１４、１６が芯出し面である支持面２２、２４を持ち、かつ基板１０に夫々回動軸受３０、３２、３８、４０により保持されており、かつこの回動軸受は、夫々の支持ジョー１４、１６に角度の基端側の領域４２、４４に於て作用することが好ましい。
【００７４】
上記の支持ジョー１４、１６は芯出し面である支持面２２、２４を角度を以って固定する為に基板１０に回動軸受３０、３２、３８、４０とは間隔を隔てて設けられた固定エレメント６４を以って固定できることが好ましい。
【００７５】
上記の固定エレメント６４が回動軸受３０、３２、３８、４０の角度とは反対の側に於て支持ジョー１４、１６に作用することが好ましい。
【００７６】
上記の固定エレメント６４により各支持ジョー１４、１６は任意の回動位置に固定できることが好ましい。
【００７７】
固定エレメント６４は基板１０の保持部分７０、７２に於て下側から固定されていることが好ましい。
【００７８】
スピンドル９２はスピンドルナット９０を用いて基板１０により保持されていることが好ましい。
【００７９】
スピンドルナット９０がスピンドル９２の基板面１２に平行な回動を許す基板軸受９６、９８、１００、１０２により基板１０に保持されていることが好ましい。
【００８０】
加圧面１３６、１３８は互いに自由に回動することのできることが好ましい。
【００８１】
加圧面１３６、１３８は角度が変化する場合、対応するあらゆる角度に応じられることが好ましい。
【００８２】
加圧片支持体１２４は互いに回動することのできる加圧面１３６、１３８を支持する加圧片１３２、１３４を備えていることが好ましい。
【００８３】
上記の加圧片は互いに回動するこのできる形でスピンドルヘッド支持体１１０に接続されている加圧片１３２、１３４を備えていることが好ましい。
【００８４】
各加圧片１３２、１３４が少なくとも１つのヒンジ１６０、１６２を介してスピンドルヘッド支持体１１０に接続されていることが好ましい。
【００８５】
ヒンジ１６０、１６２は動き難いことが好ましい。
【００８６】
１つの加圧片１３２、１３４のヒンジ１６０、１６２が少なくとも１つの回動位置に固定することのできることが好ましい。
【００８７】
加圧片１３２、１３４の１つのヒンジ１６０、１６２があらゆる回動位置において固定できることが好ましい。
【００８８】
加圧片１３２、１３４が互いに間隔を隔てて設けられたヒンジ１６０、１６２を用いて加圧片支持体１２４に夫々回動し得る如く支持されていることが好ましい。
【００８９】
加圧片支持体１２４が基板１２に直交する回動軸１３０の周りにスピンドルヘッド支持体１１０に相対的に回転できることが好ましい。
【００９０】
加圧片支持体１２４がスピンドルヘッド支持体１１０に相対的に少なくとも１つの回動位置に固定できることが好ましい。
【００９１】
加圧片支持体１２４がスピンドルヘッド支持体１１０に相対的に任意の回動位置に固定できることが好ましい。
【００９２】
加圧片支持体１２４がスピンドルヘッド支持体１１０に対して回動するとき、抵抗を伴うことが好ましい。
【００９３】
加圧片１３２、１３４はそのヒンジ１６０、１６２から角度の基端への方向にはその逆の方向の場合よりも僅かな距離しか延びていないことが好ましい。
【００９４】
【発明の効果】
以上の説明から明らかなように、本発明のクランプ装置によれば、２組の支持ジョーおよび加圧片により、４５〜１４０度の範囲のワークに対して固定することが出来るので、実用性の高いことが明らかである。
【図面の簡単な説明】
【図１】本発明によるクランプ装置の平面図である。
【図２】図１の２−２に沿った断面図である。
【図３】図１の３−３に沿った部分断面図である。
【図４】図１の４−４に沿った断面図である。
【図５】図１の５−５に沿った断面図である。
【図６】図１から図５に示された実施例とは別のものの図３に類似の断面図である。
【符号の説明】
１０      基板
１２      基板面
１４      支持ジョー
１６      支持ジョー
１８      回動軸
５８      固定スクリュー
６２      スライドナット
９０      スピンドルナット
９２      スピンドル
１１２    スピンドヘッド
１２６    加圧片支持プレート
１３２    加圧片
１３４    加圧片
１８０    固定エレメント
２００    底壁
２０８    ハンドル
２１６    加圧エレメント
【図１】
0003799441.tif 000002
【図２】
0003799441.tif 000003
【図３】
0003799441.tif 000004
【図４】
0003799441.tif 000005
【図５】
0003799441.tif 000006
【図６】
0003799441.tif 000007